(57)【要約】【課題】シートのカール量を小さくすることでジャム発生率を低減すると同時にジャム発生時にはジャム処理製の良い品質製に優れた小型で低コストの像加熱装置及び該像加熱装置を搭載した画像形成装置を提供すること。【解決手段】加熱体１４と、この加熱体と加熱ニップを形成する加圧ローラ１１と、ニップを形成する加圧手段８とを有し、ニップで画像を担持したシートを挟持搬送し画像を加熱する像加熱手段と、ニップで画像を担持したシートを挟持搬送する加熱ニップ部駆動手段７０と、像加熱手段のシート搬送下流位置にシートを搬送するローラ対４１・５１と、前記ローラを駆動するローラ対駆動手段７２と、加熱ニップ部駆動手段７０とローラ対駆動手段７２とを繋ぐ駆動伝達手段７１と、を有し、前記ローラ対の駆動ローラ軸上に、前記駆動ローラ４１より速く回転する回転体６０を少なくとも１つ設けたことを特徴とする像加熱装置。【選択図】図３
2004029659.tif 000002
【特許請求の範囲】
【請求項１】
加熱体と、この加熱体と加熱ニップを形成する加圧ローラと、前記ニップを形成する加圧手段とを有し、前記ニップで画像を担持したシートを挟持搬送し画像を加熱する像加熱手段と、
前記ニップで画像を担持したシートを挟持搬送する加熱ニップ部駆動手段と、
前記像加熱手段のシート搬送下流位置にシートを搬送するローラ対と、
前記ローラを駆動するローラ対駆動手段と、
前記加熱ニップ部駆動手段とローラ対駆動手段とを繋ぐ駆動伝達手段と、
を有し、前記ローラ対の駆動ローラ軸上に、前記駆動ローラより速く回転する回転体を少なくとも１つ設けたことを特徴とする像加熱装置。
【請求項２】
前記回転体の外形形状に設けられたリブによって気流を発生させることを特徴とする請求項１に記載の像加熱装置。
【請求項３】
前記回転体の外形形状に設けられたリブは回転体外形形状に一体的に形成されていることを特徴とする請求項２に記載の像加熱装置。
【請求項４】
前記回転体の内部に設けられた内歯車、遊星歯車、太陽歯車、遊星歯車支持体によって、前記駆動ローラより速く、前記回転体が回転することを特徴とする請求項１から３の何れかに記載の像加熱装置。
【請求項５】
前記ローラ対の駆動ローラ軸に設けた第１の駆動手段と、前記回転体の外部に設けられた第２の駆動手段と、第１の駆動手段と第２の駆動手段とを繋ぐ前記駆動伝達手段によって、前記駆動ローラより速く、前記回転体が回転することを特徴とする請求項１から３の何れかに記載の像加熱装置。
【請求項６】
前記像加熱手段により未定着トナー像を定着させながらシートを搬送することを特徴とする請求項１から３の何れかに記載の像加熱装置。
【請求項７】
シートに未定着トナー像を形成する作像手段と、前記シートに前記未定着トナー像を定着させる定着手段を有する画像形成装置において、前記定着手段が請求項１から５の何れかに記載の像加熱装置であることを特徴とする画像形成装置。
【発明の詳細な説明】
【０００１】
【発明の属する技術分野】
本発明は、像加熱装置、及び該像加熱装置を有した複写機、プリンタ、ファクシミリ等の画像形成装置に関するものである。
【０００２】
【従来の技術】
便宜上、特開昭６３ー３１３１８２号公報、特開平１ー２６３６７９号公報、特開平２ー１５７８７８号公報、特開平４ー４４０７５〜４４０８３、２０４９８０〜２０４９８４号公報等に開示のフィルム加熱方式の像加熱手段と、ニップ形成のための加圧手段を開放する圧開放手段を併せ持つ画像定着装置を有した画像形成装置を例にして説明する。
【０００３】
この加熱手段は、発熱部を有する略面状のヒータと、このヒータと耐熱性のフィルム部材を挟ませて圧接し加熱ニップ部を形成する加圧ローラと、ヒータの加圧ローラに対向していない周囲を覆うヒータフォルダーを有し、加熱ニップ部に被加熱材を導入して耐熱性フィルムを介してヒータの熱で加熱する方式・構成の装置であり、低熱容量で昇温の速いヒータを用い、加熱ニップ部を集中的に加熱できて、クイックスタート性があり、また省電力等の特徴を有する。
【０００４】
このようなフィルム加熱方式の加熱手段は、たとえば、複写機、レーザービームプリンタ、ファクシミリ、マイクロフィルムリーダプリンタ、画像表示（ディスプレイ）装置、記録機等の画像形成装置において、電子写真、静電記録、磁気記録等の適宜の画像形成プロセス手段により加熱溶融性の樹脂等よりなるトナーを用いてシート（転写材シート、エレクトロファックスシート、静電記録シート、印刷紙など）の面に間接（転写）方式もしくは直接方式で形成した目的の画像情報に対応した未定着のトナー画像を永久個着画像として加熱定着処理する画像定着装置として活用できる。
【０００５】
低熱容量で昇温の速い加熱体としては、耐熱性、絶縁性、良熱伝導性のセラッミク材基板と該基板に印刷、焼成等の手段で形成具備させた通電発熱部としての発熱抵抗部を基本構成体とし、発熱抵抗部に電力を供給して発熱させる、全体に低熱容量で昇温の速いセラミックヒータが用いられている。
【０００６】
図１０はフィルム加熱方式の像加熱手段とニップ形成のための加圧手段を開放する圧開放手段を併せ持つ画像定着装置の一例の概略構成図である。本例の加熱手段は特開平４ー４４０７５〜４４０８３、２０４９８０〜２０４９８４号公報等に開示の、耐熱フィルムとして円筒状フィルムを使用し、該フィルムを加圧手段としての加圧ローラで回転駆動する、加圧ローラ駆動方式、テンションフリータイプ（フィルムに張力を与えないでフィルムを駆動させるもの）の装置である。
【０００７】
１４は図面に垂直方向を長手とする横長の細板状の加熱体（以下、ヒータと記す）である。
【０００８】
１０は横断面略半円形の横長樋型のフィルムガイド兼用のヒータ支持体であり、このヒータ支持体１０の下面中央部に支持体長手に沿ってヒータ１４を耐熱性接着剤等で固定支持させてある。
【０００９】
９は円筒状（エンドレスベルト状）、薄膜の耐熱性フィルム（以下定着フィルムまたはフィルムと記す）であり、ヒータ１４を支持させたヒータ支持体１０にルーズに外嵌させてある。
【００１０】
１５はヒータ支持体１０の両端部にそれぞれ配設した定着フィルム端部を受け止めて定着フィルム９の寄り移動を規制するフランジ部材である。
【００１１】
１１は加圧部材としての弾性加圧ローラであり、ヒータ支持体１０のヒータ１４の下面と定着フィルム９を挟ませてローラ弾性に抗して所定の当接圧をもって互いに圧接させることで所要幅の加熱部としての加熱ニップ部Ｎを形成させてある。
【００１２】
加圧ローラ１１は不図示の駆動手段により矢示の反時計方向に回転駆動される。この加圧ローラ１１の回転によるローラ１１の外面とフィルム９の外面との加熱ニップ部Ｎにおける圧接摩擦力でフィルム９に回転力が作用して、フィルム９が、その内面がヒータ１４の下面に接触摺動しつつ、ヒータ支持体１０の外周を矢示の時計方向に従動回転する。ヒータ支持体１０はこの回転するフィルム９のガイドを兼ねる。
【００１３】
ヒータ１４としては一般に、セラミック基板と、基板面に印刷、焼成して具備させた発熱抵抗体を基本構成体とする低熱容量のセラミックヒータが用いられている。
【００１４】
加圧ローラ１１の回転によりフィルム９が回転され、またヒータ１４が通電により発熱して所定の温度に温調されている状態において、加熱ニップ部Ｎのフィルム９と加圧ローラ１１との間に、未定着トナー画像Ｔを形成担持させた被加熱材としてのシートＰをトナー画像面をガイド部材を通じてフィルム９側にして導入し、フィルム９と一緒に加熱ニップ部Ｎを移動させることで、加熱ニップ部ＮにおいてシートＰがフィルム９を介してヒータ１４で加熱されて未定着トナー画像Ｔの軟化、溶融定着がなされる。加熱ニップ部Ｎを通ったシートＰはフィルム９面から分離されて搬送される。
【００１５】
この装置はフィルム９の加圧ローラ１１の駆動による回転状態において、加熱ニップ部Ｎの部分を除いて実質的にフィルム９に張力が作用しておらず、そのためにフィルムの回転に伴う、ヒータ支持体１０の長手に沿うフィルム寄り移動力が小さくてフィルム寄り移動制御手段を簡単化できる、容易な組立性とコストダウンを図ることができる等の有利な点がある。
【００１６】
８は加圧手段であり、フランジ部材１５を下方に押圧付勢することによりヒータ支持体１０を加圧ローラ１１の弾性に抗して下方に押圧付勢してヒータ１４と弾性加圧ローラ１１との間にフィルムを挟ませて所定幅の加熱ニップ部Ｎを形成している。
【００１７】
８ｂは装置フレーム３０に回動自在に軸支され、回動させて加圧手段８を開放する位置で保持可能に構成されている圧解除部材である。
【００１８】
即ち、圧解除部材８ｂを実線示のように水平姿勢に倒し回動操作した状態にしておくことで、加圧手段８による加圧作用により上記の加熱ニップ部Ｎが所定に形成された状態が保持される。圧解除部材８ｂを２点鎖線示のように垂直に引き起こし回動操作した状態にすることで、加圧手段８が圧解除部材８ｂのカム部により２点鎖線示のように持ち上げ回動されて加熱ニップ部Ｎの圧解除がなされる。垂直に引き起こし回動操作した圧解除部材８ｂは手を離してもその引き起こし状態がそのまま保持されて加熱ニップ部Ｎの圧解除状態が保持される。この状態から圧解除部材８ｂを実線示の水平姿勢に倒し回動操作することで加熱ニップ部Ｎは加圧状態に復帰する。
【００１９】
５１は加熱後のシートを挟持搬送するコロで、５０はコロ５１を保持しシートの上方をガイドする排出上ガイドである。
【００２０】
４１はコロ５１と排出ニップを形成する排出ローラで、４０は排出ローラ４１を配設しシートの下方をガイドする排出下ガイドである。排出上ガイド５０と排出下ガイド４０で形成される間隔の排出ニップ上流側は、排出ニップに導入を容易、安定させるため徐々に狭くなるように構成されている。
【００２１】
コロ５１と排出ローラ４１で加熱後のシートを挟持搬送し、排出上ガイド５０と、排出下ガイド４０を通じて画像形成装置外へ排出される。
【００２２】
装置フレーム３０には、上述のフランジ部材１５、加圧ローラ１１、排出上ガイド５０、排出下ガイド４０が配設される。
【００２３】
【発明が解決しようとする課題】
近年、小型・低コスト画像形成装置の高速化の要求が高まり、加熱量の増大及び加熱ニップ巾の増大で加圧力が大きくなってきている。それに伴って像加熱手段通過後のシートＰのカールも増大し、カールによるジャムの発生率が高まってきている。
【００２４】
またジャム処理時にシートＰが破れ、装置内に破れたシートＰが残留し、さらなるジャムの原因になることや、破れたシート残留物が装置本体の故障を誘発することが頻繁に生じてきている。その対策として小型・低コスト画像形成装置にも加圧手段を開放する圧開放手段が採用されてきている。
【００２５】
しかしながら、上記のような従来の技術の場合には、下記のような問題が生じていた。
【００２６】
従来、図１０の様な構成の画像定着装置を小型・低コスト画像形成装置に採用したとき、解除部材８ｂが加圧手段８を開放する位置で保持可能に構成されているため、開放状態のままで装置を稼動させると画像定着装置が異常発熱し故障に至ることがある為、開放を検知する必要があり、専用のセンサー類などの構成付加によりコストＵＰしていた。
【００２７】
また、図１０の様な構成をコストＵＰして導入することでジャム処理性は向上しても、像加熱手段通過後のシートＰのカールを小さくする構成を更に追加しないとジャムの発生率は低減しない。更にカール取り構成を小型・低コスト画像形成装置に付加することはスペース及びコスト的にも難しかった。
【００２８】
本発明は上記従来の課題を解決させる為になされたもので、その目的とするところは、シートのカール量を小さくすることでジャム発生率を低減すると同時にジャム発生時にはジャム処理性の良い品質性に優れた小型で低コストの、像加熱装置及び該像加熱装置を有する画像形成装置を提供することにある。
【００２９】
【課題を解決するための手段】
本発明は下記の構成を特徴とする像加熱装置及び該像加熱装置を有する画像形成装置である。
【００３０】
（１）加熱体と、この加熱体と加熱ニップを形成する加圧ローラと、前記ニップを形成する加圧手段とを有し、前記ニップで画像を担持したシートを挟持搬送し画像を加熱する像加熱手段と、
前記ニップで画像を担持したシートを挟持搬送する加熱ニップ部駆動手段と、
前記像加熱手段のシート搬送下流位置にシートを搬送するローラ対と、
前記ローラを駆動するローラ対駆動手段と、
前記加熱ニップ部駆動手段とローラ対駆動手段とを繋ぐ駆動伝達手段と、
を有し、前記ローラ対の駆動ローラ軸上に、前記駆動ローラより速く回転する回転体を少なくとも１つ設けたことを特徴とする像加熱装置。
【００３１】
即ち、前記の回転体は増速して設定している為、ジャムした際に回転体をユーザーが手で回転させる際は小さな力で、前記駆動伝達手段を通じ、加熱ニップ部のシートも搬送することができ、容易にジャム処理が可能となる。シートが破れて残ってしまうこともなく、また、専用のセンサー類などの構成付加により大きくコストＵＰすることもない。
【００３２】
（２）前記回転体の外形形状に設けられたリブによって気流を発生させることを特徴とする（１）に記載の像加熱装置。
【００３３】
即ち、前記回転体の外形形状に設けられたリブによって気流を発生させる構成とし、増速された回転体外面のリブによって生じた気流によってシートを冷却し、カールを低減できる。
【００３４】
（３）前記回転体の外形形状に設けられたリブは回転体外形形状に一体的に形成されていることを特徴とする（２）に記載の像加熱装置。
【００３５】
この構成により、低コストで気流を発生できる。
【００３６】
（４）前記回転体の内部に設けられた内歯車、遊星歯車、太陽歯車、遊星歯車支持体によって、前記駆動ローラより速く、前記回転体が回転することを特徴とする（１）から（３）の何れかに記載の像加熱装置。
【００３７】
この構成により、回転体内で増速処理が可能となり、省スペースで実施可能となる。
【００３８】
（５）前記ローラ対の駆動ローラ軸に設けた第１の駆動手段と、前記回転体の外部に設けられた第２の駆動手段と、第１の駆動手段と第２の駆動手段とを繋ぐ前記駆動伝達手段によって、前記駆動ローラより速く、前記回転体が回転することを特徴とする（１）から（３）の何れかに記載の像加熱装置。
【００３９】
この構成により、遊星歯車を用いた場合より構成スペースは大きくなるが、部品点数すくなく、更に低コストで実施できる。
【００４０】
（６）前記像加熱手段により未定着トナー像を定着させながらシートを搬送することを特徴とする請求項１から３の何れかに記載の像加熱装置。
【００４１】
（７）シートに未定着トナー像を形成する作像手段と、前記シートに前記未定着トナー像を定着させる定着手段を有する画像形成装置において、前記定着手段が請求項１から５の何れかに記載の像加熱装置であることを特徴とする画像形成装置。
【００４２】
【発明の実施の形態】
（第１の実施例）
（１）画像形成装置例
図１は画像形成装置例の概略構成図である。本例の画像形成装置は電子写真プロセス利用のレーザービームプリンタである。
【００４３】
１は第一の像担持体としての回転ドラム型電気写真感光体（以下、ドラムと記す）である。このドラム１は回転過程でその表面が一次帯電器２により一様に帯電処理される。
【００４４】
次いで、その回転ドラム１の帯電処理面に対して、レーザースキャナー３から出力される、目的の画像情報の時系列電気デジタル画素信号に対応して変調されたレーザービームＬによる走査露光がなされることで、回転ドラム１の面に目的の画像情報に対応した静電潛像が形成される。
【００４５】
次いでその静電潛像が現像器４によりネガトナーＴで反転現像（レーザー露光部にトナーが付着）されて顕像化される。
【００４６】
一方、給紙カセット２０内から給紙ローラ２１により記録媒体（転写材）としてのシートＰが一枚分離給送され、レジストローラ対２２を経由してドラム１と転写ローラ５との圧接ニップ部である転写部に所定のタイミングで搬送導入されることで、シートＰの面に対して回転ドラム１面側のトナー画像が順次転写される。
【００４７】
転写部を通過したシートＰは回転ドラム１の面から分離され、次の（２）項で説明する像加熱装置としての画像定着装置７へ搬送導入されて転写トナー画像の定着処理を受けて、排出手段でプリントとして機外へ排出される。
【００４８】
シート分離後の回転ドラム１の面はクリーニング器２３により転写残りトナー等の付着残留汚染物の除去を受けて清掃されて繰り返して作業に供される。
【００４９】
本例のプリンタはドラム１、一次帯電器２、現像器４、クリーニング器２３の４つのプロセス機器を一括してプリンタ本体内に着脱、交換自在のプロセスカートリッジ２４として構成してある。
【００５０】
（２）画像定着装置７
本例の画像定着装置７は前述した図１０の画像定着装置と同様に、加圧ローラ駆動方式、テンションフリータイプのフィルム加熱方式の装置である。図２は該画像定着装置７の概略構成図（横断面模型図）、図３は途中部分切り欠きの装置斜視模型図である。
【００５１】
加熱体１４、ヒータ支持体１０、円筒状定着フィルム９、フランジ部材１５、弾性加圧ローラ１１、加圧手段８、加熱ニップ部Ｎ、装置フレーム３０、コロ５１、排出上ガイド５０、排出ローラ４１、排出下ガイド４０等は前述した図１０の画像定着装置と同様であるので、共通する構成部材部分には共通の符号を付して再度の説明を省略する。
【００５２】
加熱体としてのヒータ１４はセラミックヒータであり、耐熱性、絶縁性、高熱伝導性のアルミナ基板上に、たとえばスクリーン印刷で形成されたＴａＳｉＯ２、ＡｇＰｄ、ＴＡ２Ｎ、ＲｕＯ２、ニクロム等の薄膜発熱抵抗部を有し、定着フィルム９の内面に対向する面には耐熱ガラス等のオーバーコートが施されている。
【００５３】
耐熱性フィルムである定着フィルム９は、耐熱性、トナー離型性、強靱性を有する単層フィルム、あるいは所望の表面処理やラミネート処理をした複合層フィルムである。本実施例における定着フィルム９はポリイミド（ＰＩ）フィルムであり、耐熱処理した５０ｕｍのＺｎｏ単層フィルム、あるいは４フッ化エチレン（ＰＴＦＥ）で離型性付与処理した複合層フィルムである。
【００５４】
定着フィルム９を挟んでヒータ１４と加圧ローラ１１とが所定の加圧力（たとえばＡ４幅で総圧９８〜１９６Ｎ（１０〜２０ｋｇｆ））をもって圧接状態にある。
【００５５】
加圧ローラ１１は、その軸に不図示の装置本体駆動系から加圧ローラギア７０を介して回転力が伝達されることで、図２において矢印の反時計方向に回転駆動され、これに伴い、円筒状の定着フィルム９は加圧ローラ１１の表面摩擦力で加熱ニップ部Ｎにおいてその内面がヒータ１４の表面（下面）に密着して摺動しながら回転する。
【００５６】
フランジ部材１５は、ヒータ支持体１０の両端部にそれぞれ配設したフィルム端部を受け止めてフィルム９の寄り移動を規制している。
【００５７】
定着フィルム９が回転駆動され、ヒータ１４が発熱抵抗部への通電により所定の温度（たとえば１５０ｄｅｇ以上）に昇温した状態において、被加熱材としての、未定着トナー画像Ｔを担持したシートＰがガイド部材を通って加熱ニップ部Ｎに導入される。導入されたシートＰは加熱ニップ部Ｎを定着フィルム９の外面に密着して定着フィルム９を介して受ける。その熱によりシートＰ上のトナー画像Ｔが軟化溶融して定着する。
【００５８】
排出下ガイド４０及び排出上ガイド５０は装置フレーム３０に取り付けてある。加熱後のシートＰは排出上ガイド５０と排出下ガイド４０を通じて、コロ５１と排出ローラ４１に挟持搬送されて、画像形成装置外へ排出される。
【００５９】
本実施例の画像定着装置７は、排出ローラ４１の軸を回動中心として回転体６０を回動可能に設け、回転体６０の内部の増速手段により排出ローラ４１より速く回動することが可能であり、回転体６０の回転によって気流を発生可能にするために設けられたリブ６０ａを有する。
【００６０】
図４は加圧ローラ１１から排出ローラ４１に至る駆動伝達手段部の拡大模型図である。図５、図６は回転体６０内部の増速手段部の拡大模型図である。
【００６１】
回転体６０は排出ローラ４１軸上に回転自在に取り付けられており、回転体６０の内部の増速手段により排出ローラ４１より速く回動することが可能である。
【００６２】
リブ６０ａは回転体６０の外面に一体的に形成されており、回転体６０の回転によって気流を発生できる。
【００６３】
７０は加圧ローラ１１の軸に連結されている加圧ローラギア、７２は排出ローラ４１に連結されている排出ローラギアで、７１は加圧ローラギア７０と排出ローラギア７２を繋ぐアイドラギアである。
【００６４】
図５、図６の回転体６０内部の増速手段部において、６０ｂは回転体６０に一体的に形成された太陽ギアである。６１は遊星ギア支持部材で、排出ローラ４１の軸に連結されている。６２は遊星ギアで、遊星ギア支持部材６１に軸支され太陽ギア６０ｂの周りを回っている。
【００６５】
６３は遊星ギア６２と噛み合う内歯車６３ａを一体的に形成され、フレーム３０に固定されている内歯車体である。
【００６６】
したがって、排出ローラ４１軸のスピードは内歯車６３ａの歯数／太陽ギア６０ｂの歯数の増速が可能となっている。
【００６７】
ジャムが発生し加熱ニップＮ内にシートが残った場合、回転体６０をユーザーが手動にて回転させることよって、回転体６０内部の増速手段により少ない操作力で（回転体６０を回す場合は加圧ローラ１１を減速して回転可能）、加圧ローラ１１から排出ローラ４１に至る駆動伝達手段を通じて、加圧ローラ１１を回転可能となり、加熱ニップ部Ｎのジャムしたシートを排出可能となっている。
【００６８】
このように、回転体６０内部の増速手段により速く回動することでリブ６０ａにより気流を発生可能にしたため、効果的に加熱ニップＮを通過した直後のシートを冷却でき、カールを防止でき、結果としてジャムの発生率を低減できた。
【００６９】
また排出ローラ４１の軸を回動中心として回転体６０を回動可能にし増速手段を回転体６０内部に設けたことで省スペースで実施可能なり、小型の画像形成装置に導入可能となった。
【００７０】
また、ジャムしたシートを処理する際はユーザーが手動で回転体６０を回すことで、加圧ローラ１１を減速して回転可能となり、少ない操作力で容易かつ確実にジャム処理を行なうことが出来るようになった。特別な検知手段を必要としないため、低コストで実施可能となった。
【００７１】
（第２の実施例）
図７、図８、図９は、第１の実施例の回転体６０の増速手段は回転体６０内部に設けているのに対し、回転体６０の外部に増速手段を設けた画像定着装置７の例を示す。
【００７２】
本例装置７は前述図１０の加熱装置と同様にテンションフリータイプのフィルム加熱方式の加熱手段とシート排出手段を有しており、図１０の装置と共通する構成部材部分には共通の符号を付して再度の説明を省略する。
【００７３】
回転体６０は排出ローラ４１に回転自在に取り付けられており、６０ｃは回転体６０に一体的に形成された回転体ギア部である。
【００７４】
８０は排出ローラ４１に連結せれている回転体駆動ギアで、８１はフレーム３０に固定された軸に回転自在に設けられ、回転体ギア部６０ｃと上部を回転体駆動ギア８０を繋ぐアイドラギアで、２段ギア構成で回転体６０を増速可能となっている。
【００７５】
このように、回転体６０内部の増速手段により速く回動することでリブ６０ａにより気流を発生可能にしたため、効果的に加熱ニップＮを通過した直後のシートを冷却でき、カールを防止でき、結果としてジャムの発生率を低減できた。
【００７６】
ジャムしたシートを処理する際はユーザーが手動で回転体６０をすことで、加圧ローラ１１を減速して回転可能となり、少ない操作力で容易かつ確実にジャム処理を行なうことが出来るようになった。特別な検知手段を必要としないため、低コストで実施可能となった。
【００７７】
また排出ローラ４１の軸を回動中心として回転体６０を回動可能にし増速手段を回転体６０の外部に設けたことで、第１の実施例の増速手段を回転体６０内部に設けた場合よりスペース効率は劣るが、部品点数が少なく実施可能なり、更に低コストで画像形成装置に導入可能となった。
【００７８】
（その他）
１）本発明において、像加熱装置は、実施例のような加圧ローラ駆動方式、テンションフリータイプのフィルム加熱方式の装置に限られるものでないことは勿論である。エンドレスフィルムの内周面に駆動ローラを設け、フィルムにテンションを加えながら駆動するフィルム加熱方式の装置であってもよい。フィルムを有端のウエブ状にして、これを走行移動させるフィルム加熱方式の装置であってもよい。
【００７９】
また、フィルム加熱方式の像加熱装置に限られない。熱ローラ方式等の像加熱装置であってもよい。
【００８０】
２）本発明において、像加熱装置は、未定着画像を記録材上に永久画像として加熱定着させる定着装置ばかりでなく、未定着画像を記録材上に仮定着させる像加熱装置、画像を担持した記録材を再加熱してつや等の画像表面性を改質する像加熱装置なども包含される。
【００８１】
３）画像形成装置の作像原理・プロセスは実施例の電子写真方式に限れるものではないことは勿論であり、静電記録方式、磁気記録方式、中間転写方式等の装置であってもよい。直接方式の装置であってもよい。
【００８２】
【発明の効果】
以上説明したように、本発明によれば、シートのカール量を小さくすることでジャム発生率を低減すると同時にジャム発生時にはジャム処理性の良い品質性に優れた小型で低コストの、像加熱装置及び該像加熱装置を有する画像形成装置を提供することが可能となる。
【図面の簡単な説明】
【図１】第１及び第２の実施例における画像形成装置の概略図
【図２】第１の実施例である画像定着装置部分の概略構成図（横断面模型図）
【図３】該画像定着装置の途中部分切り欠きの斜視模型図
【図４】第１及び第２の実施例の画像定着装置部分の駆動伝達手段部の拡大図
【図５】第１の実施例の画像定着装置部分の増速手段部の断面図
【図６】第１の実施例の画像定着装置部分の増速手段部の斜視図
【図７】第２の実施例の画像定着装置部分の途中部分切り欠きの斜視模型図
【図８】第２の実施例の画像定着装置部分の増速手段部の拡大図
【図９】第２の実施例の画像定着装置部分の増速手段部の断面図
【図１０】従来の画像形成装置の画像定着装置部分の拡大図
【符号の説明】
１・・感光体ドラム、２・・一次帯電器、３・・レーザースキャナー、４・・現像器、７・・画像定着装置、８・・加圧手段、９・・定着フィルム（耐熱性フィルム）１０・・ヒータ支持体、１１・・加圧ローラ、１４・・ヒータ（加熱体）、１５・・フランジ部材、３０・・フレーム、４０・・排出下ガイド、４１・・排出ローラ、５０・・排出上ガイド、５１・・コロ、６０・・回転体、７０，７１，７２・・ギア、Ｐ・・シート、Ｔ・・トナー
【図１】
2004029659.tif 000003
【図２】
2004029659.tif 000004
【図３】
2004029659.tif 000005
【図４】
2004029659.tif 000006
【図５】
2004029659.tif 000007
【図６】
2004029659.tif 000008
【図７】
2004029659.tif 000009
【図８】
2004029659.tif 000010
【図９】
2004029659.tif 000011
【図１０】
2004029659.tif 000012